(57)【要約】      （修正有）【課題】複数の操作対象に対して、直接的に手を触れることなく操作可能な衛生用具であって、利便性を大きく向上させた衛生用具を提供する。【解決手段】操作対象に接触する衛生用具本体１１と、操作対象と異なる所定箇所に着脱可能に構成された着脱部１２と、衛生用具本体１１と着脱部１２とを連結する連結部１３と、を備え、衛生用具本体１１は、略鉤状のフック部１１ａを有し、着脱部１２は、着脱機構１２ａを有し、着脱機構１２ａは、ナスカンとして構成される。【選択図】図１
0003228295.tif 000002
【実用新案登録請求の範囲】
【請求項１】
操作対象に接触する衛生用具本体と、前記操作対象と異なる所定箇所に着脱可能に構成された着脱部と、前記衛生用具本体と前記着脱部とを連結する連結部と、を備え、
前記衛生用具本体は、略鉤状のフック部を有する、衛生用具。
【請求項２】
前記連結部は、全長を伸縮自在に構成された連結部本体を有する、請求項１に記載の衛生用具。
【請求項３】
前記連結部本体は、前記着脱部に向かって付勢されている、請求項２に記載の衛生用具。
【請求項４】
前記衛生用具本体は、導電性を有し、前記操作対象を押圧可能に設けられた導電部を有する、請求項１〜３の何れかに記載の衛生用具。
【請求項５】
前記衛生用具本体は、前記操作対象に吸着する吸盤部を有する、請求項１〜４の何れかに記載の衛生用具。
【請求項６】
前記吸盤部は、その外形状が真円以外の形状である、請求項５に記載の衛生用具。
【請求項７】
前記衛生用具本体は、弾性を有し、前記操作対象を押圧可能に設けられた緩衝部を有する、請求項１〜６の何れかに記載の衛生用具。
【請求項８】
前記緩衝部は、前記フック部の外周面を囲って設けられ、前記フック部の形状に沿って摺動自在に設けられている、請求項７に記載の衛生用具。
【請求項９】
前記フック部は、金属性の棒状体を湾曲させることにより形成されている、請求項１〜８の何れかに記載の衛生用具。
【請求項１０】
前記衛生用具本体は、前記連結部寄りに設けられた指掛け部を有する、請求項１〜９の何れかに記載の衛生用具。
【請求項１１】
前記衛生用具本体は、その先端側に切り欠き部を有する、請求項１〜１０の何れかに記載の衛生用具。
【考案の詳細な説明】
【技術分野】
【０００１】
本考案は、ドアノブやタッチパネル等、複数人の素手が触れる操作対象に対して、直接的に手を触れることなく操作可能な衛生用具に関するものである。
【背景技術】
【０００２】
従来から、ドアノブやタッチパネル等の手動での操作が必要な物品について、繰り返しの操作に伴い、ウイルスやバクテリア等の細菌といった病原体により汚染されていくことが知られている。
このため、上記のような操作対象を素手で操作した際、この操作対象を介して、操作した人物に病原体が付着することによる、接触感染のリスクが生じる。
【０００３】
特に現在では、昨今のコロナウイルスの蔓延による感染防止の観点から、上記のようなリスクを低減させるための製品やアイデアに対する需要が、全国的に増加している。
【０００４】
上記のような需要に対するアイデアとして、例えば、特許文献１には、軸部とレバー部とを有するレバーハンドルを備えた扉全般に利用可能であって、手で触れることなくレバーハンドルの操作が行える、レバーハンドル用操作具に関する発明が記載されている。
【０００５】
また、特許文献２には、円柱型のドアノブやＬ字型のドアノブを、間接的に把持することが可能であって、上側プレートと下側プレートとをヒンジにより結合されることでクラムシェル型となされた、ドアハンドル把持装置に関する発明が記載されている。
【０００６】
また、特許文献３には、手で物理的に接触することによる汚れ、伝染病あるいは疾病の拡散を生じさせる恐れが無く、アイテムへの係合及び操作を可能とする、広範な状況下に利用可能な、手持ち係合装置に関する発明が記載されている。
【先行技術文献】
【特許文献】
【０００７】
【特許文献１】特開２０１７−１３７６３４号公報
【特許文献２】特開２０１３−５３５５９１号公報
【特許文献３】特開２０１６−５２３５９７号公報
【考案の概要】
【考案が解決しようとする課題】
【０００８】
しかしながら、特許文献１や特許文献２に記載の発明は、ドアハンドルの操作に特化したものであり、タッチパネルや物理ボタン等他の操作対象を操作する場合について一切想定されていない。
【０００９】
また、特許文献３に記載の発明は、タッチパネルや物理ボタン等の操作が想定されているものの、２枚の可撓性部材を重ねて、左右両端を接着したのみの簡易な構成であることから、紛失や繰り返しの使用による破損の恐れがある。
【００１０】
本考案は上記のような実状に鑑みてなされたものであり、複数の操作対象に対して、直接的に手を触れることなく操作可能な衛生用具であって、利便性を大きく向上させた衛生用具を提供することを課題とする。
【課題を解決するための手段】
【００１１】
上記課題を解決するために、本考案は、操作対象に接触する衛生用具本体と、前記操作対象と異なる所定箇所に着脱可能に構成された着脱部と、前記衛生用具本体と前記着脱部とを連結する連結部と、を備え、
前記衛生用具本体は、略鉤状のフック部を有する。
【００１２】
本考案によれば、着脱部が、連結部により衛生用具本体と連結されていることで、使用者の衣服や鞄、携帯電話といった使用者の身近な物品に本衛生用具を取付けておくことができ、本衛生用具の紛失の恐れがなくなるため、本衛生用具の利便性が向上する。。
また、フック部を有する衛生用具本体により、ドアハンドルの操作や物理ボタンの操作を、容易にかつ間接的に行うことが可能となる。
【００１３】
本考案の好ましい形態では、前記連結部は、全長を伸縮自在に構成された連結部本体を有する。
【００１４】
このような構成とすることで、衛生用具本体により操作対象を操作する際、着脱部を所定箇所から取外すことなく、操作を行えるため、本衛生用具の利便性がさらに向上する。
【００１５】
本考案の好ましい形態では、前記連結部本体は、前記着脱部に向かって付勢されている。
【００１６】
このような構成とすることで、衛生用具本体に加えた引張り力を除荷するのみで、本衛生用具が使用前の状態に戻るため、本衛生用具の取扱いが容易となり、利便性がさらに向上する。
【００１７】
本考案の好ましい形態では、前記衛生用具本体は、導電性を有し、前記操作対象を押圧可能に設けられた導電部を有する。
【００１８】
このような構成とすることで、衛生用具本体を用いて静電容量式タッチパネルの操作を行うことができ、本衛生用具の利便性がさらに向上する。
【００１９】
本考案の好ましい形態では、前記衛生用具本体は、前記操作対象に吸着する吸盤部を有する。
【００２０】
このような構成とすることで、衛生用具本体により、レバー式ドアハンドルのみならず、丸型ドアハンドルの操作も行うことができ、本衛生用具の利便性がさらに向上する。
【００２１】
本考案の好ましい形態では、前記吸盤部は、その外形状が真円以外の形状である。
【００２２】
このような構成とすることで、吸盤部が操作対象に過度に吸着することなく、吸盤部の操作対象に対する脱着作業が容易となるため、本衛生用具の利便性がさらに向上する。
【００２３】
本考案の好ましい形態では、前記衛生用具本体は、弾性を有し、前記操作対象を押圧可能に設けられた緩衝部を有する。
【００２４】
このような構成とすることで、物理ボタン等の操作対象を一切傷つけることなく操作可能となり、本衛生用具の利便性がさらに向上する。
【００２５】
本考案の好ましい形態では、前記緩衝部は、前記フック部の外周面を囲って設けられ、前記フック部の形状に沿って摺動自在に設けられている。
【００２６】
このような構成とすることで、操作対象の種類や使用状況等に合わせて、緩衝部の位置を可変させることができるため、本衛生用具の利便性がさらに向上する。
【００２７】
本考案の好ましい形態では、前記フック部は、金属性の棒状体を湾曲させることにより形成されている。
【００２８】
このような構成とすることで、フック部の強度が向上し、繰り返しの使用による破損の恐れがなくなるため、本衛生用具の利便性がさらに向上する。
【００２９】
本考案の好ましい形態では、前記衛生用具本体は、前記連結部寄りに設けられた指掛け部を有する。
【００３０】
このような構成とすることで、例えば、ドアの開閉時に、ドアハンドルに触れることなく、容易にドアに力をかけることができ、開閉動作をスムーズに行うことが可能となるため、本衛生用具の利便性がさらに向上する。
【００３１】
本考案の好ましい形態では、前記衛生用具本体は、その先端側に切り欠き部を有する。
【００３２】
このような構成とすることで、例えば、切り欠き部内にサムターンを配置し、回転させることで、鍵の開錠、施錠を行うことができるため、本衛生用具の利便性がさらに向上する。
【考案の効果】
【００３３】
本考案によれば、複数の操作対象に対して、直接的に手を触れることなく操作可能な衛生用具であって、利便性を大きく向上させた衛生用具を提供することができる。
【図面の簡単な説明】
【００３４】
【図１】本発明の実施形態１に係る衛生用具を示す図である。
【図２】本発明の実施形態１に係る衛生用具の動作態様を示す図である。
【図３】本発明の実施形態１に係る衛生用具の使用方法を説明する図である。
【図４】本発明の実施形態１に係る衛生用具の使用方法を説明する図である。
【図５】本発明の実施形態１に係る衛生用具の使用方法を説明する図である。
【図６】本発明の実施形態２に係る衛生用具を示す図である。
【考案を実施するための形態】
【００３５】
以下、図面を用いて、本発明の各実施形態に係る衛生用具について説明する。
なお、以下に示す各実施形態は本発明の一例であり、本発明を以下の各実施形態に限定するものではない。また、これらの図において、符号１、１´は、各実施形態に係る衛生用具を示す。
【００３６】
＜実施形態１＞
以下、図１〜図５を用いて、本実施形態１に係る衛生用具について説明する。
【００３７】
図１に示すように、衛生用具１は、操作対象Ｘ（図４、図５参照）に接触する衛生用具本体１１と、操作対象Ｘと異なる所定箇所Ｙ（図３参照）に着脱可能に構成された着脱部１２と、衛生用具本体１１と着脱部１２とを連結する連結部１３と、を備えている。
なお、図１（ａ）は衛生用具１の概略斜視図、図１（ｂ）は衛生用具本体１１の上面図、図１（ｃ）は衛生用具本体１１の正面図である。
【００３８】
衛生用具本体１１は、略鉤状のフック部１１ａと、導電性を有し、操作対象Ｘを押圧可能に設けられた導電部１１ｂと、弾性を有し、操作対象Ｘを押圧可能に設けられた緩衝部１１ｃと、操作対象Ｘに吸着する吸盤部１１ｄと、連結部１３寄りに設けられた指掛け部１１ｅと、先端側に設けられた切り欠き部１１ｆと、を有している。
【００３９】
フック部１１ａは、略Ｃ字状に概略構成され、先端部（連結部１３が設けられていない側の端部）に、緩衝部１１ｃが設けられている。
また、フック部１１ａには、その基端に、連結部１３を取り付けるための貫通孔ｈが設けられている。
【００４０】
導電部１１ｂは、本実施形態においては長尺のアルミテープにより構成され、フック部１１ａの先端側上面から緩衝部１１ｃの外周面に沿って貼付けられている。
なお、導電部１１ｂは、アルミテープに限られず、導電性を有する素材で構成されていれば、どのような形態であっても良い。例えば、所謂タッチペンの先端のように、導電性の繊維を網状に編んだものやシリコンゴム等の半球状体を、衛生用具本体１１の任意の箇所に取付ける構成としても良い。また、導電部１１ｂの貼付けられる箇所は、上記に限られず、例えば、吸盤部１１ｄが設けられている側面や基端側に貼付けられていても良い。
【００４１】
緩衝部１１ｃは、略円柱状に概略構成され、小ねじ等の取付け部材ｓを介して、フック部１１ａの先端部に設けられている。
【００４２】
吸盤部１１ｄは、小ねじ等の取付け部材ｓを介して、フック部１１ａの先端側側面に設けられている。
また、図１（ｃ）に示すように、吸盤部１１ｄの外形状は真円ではなく、異なる曲率半径を有する２つの円を組合わせたような形状となされている。特に、図１（ｃ）において、吸盤部１１ｄの上部周縁は、フック部１１ａの先端側の湾曲形状に沿わせた形状となされている。
このようにすることで、フック部１１ａが嵩張らず、すっきりとした形状となる。
【００４３】
上記の通り、緩衝部１１ｃや吸盤部１１ｄは、取付け部材ｓにより、フック部１１ａに対して着脱可能となされている。
【００４４】
指掛け部１１ｅは、フック部１１ａの基端に設けられ、使用者の指を挿通可能な輪状に構成されている。
【００４５】
切り欠き部１１ｆは、衛生用具本体１１の先端側湾曲部から基端に向かって、衛生用具本体１１の一部が直方体状に切除されることで構成されている。
【００４６】
着脱部１２は、着脱機構１２ａと、後述する連結部本体１３ａを収容する筐体１２ｂと、を有している。
【００４７】
着脱機構１２ａは、一般的なキーホルダー等に採用される所謂ナスカンであり、内蔵された巻きばねによりゲート部ｇが開閉することで、着脱部１２を所定箇所Ｙに着脱自在に取付けることができる。
【００４８】
筐体１２ｂは、半透明な素材により形成され、外部から連結部本体１３ａ（リール部１３ａ１）を視認することができる。
【００４９】
連結部１３は、連結部本体１３ａと、第一輪状体１３ｂと、第二輪状体１３ｃと、を有している。
【００５０】
連結部本体１３ａは、一般的なキーホルダー等に採用されるリール構造であり、筐体１２ｂ内部の中心軸ｐ周りに巻き回された、細紐状のリール部１３ａ１と、リール部１３ａ１の端部に設けられ、筐体１２ｂから外部に突出した突出部１３ａ２と、により構成されている。
【００５１】
また、筐体１２ｂの内部には、リール部１３ａ１を、中心軸ｐ周りに巻き回すように付勢するゼンマイばね（図示せず）が設けられている。
これにより、連結部本体１３ａは、その全長を伸縮自在に構成され、かつ着脱部１２に向かって付勢されている。
【００５２】
第一輪状体１３ｂは、その外形状が略三角形状であり、その一辺方向を軸として回転可能に、突出部１３ａ２に設けられている。
【００５３】
第二輪状体１３ｃは、その外形状が略円形状であり、第一輪状体１３ｂ及び貫通孔ｈに挿通されている。
【００５４】
上記のように構成された衛生用具１によれば、図２に示すように、衛生用具本体１１を、その先端側に引張ることで、リール部１３ａ１が延び、着脱部１２との間隔を離していくことができる。
また、図２の状態から、引張り力を除荷することで、ゼンマイばねにより、リール部１３ａ１が巻き回され、図１（ａ）に示す状態に戻る。
【００５５】
以下、図３〜図５を用いて、衛生用具１の使用方法について説明する。
【００５６】
まず、図３に示すように、衛生用具１の使用者は、例えば、操作対象Ｘと異なる所定箇所Ｙとして、自身が着用しているズボンＺのベルトループＺ１に、着脱部１２を取り付ける。
【００５７】
このようにすることで、使用者は、操作対象Ｘを操作するタイミングで、適宜衛生用具本体１１を把持し、操作対象Ｘに向けてリール部１３ａ１を引き延ばして、操作対象Ｘを操作する。
なお、所定箇所Ｙは、ベルトループＺ１の他、衣服の他の部分や鞄、携帯電話等、使用者にとって身近なあらゆる物品が想定される。
【００５８】
図４（ａ）は、操作対象Ｘがレバー式ドアハンドル、図４（ｂ）は、操作対象Ｘが丸型ドアハンドルである場合を、それぞれ示している。
【００５９】
図４（ａ）では、フック部１１ａを操作対象Ｘに引掛け、下方向に押圧することで、操作可能である。そして、指掛け部１１ｅに使用者の指を挿通させ、操作対象Ｘを押圧することで、操作対象Ｘに触れることなく、容易にドアを開けることができる。
図４（ｂ）では、吸盤部１１ｄを、操作対象Ｘの正面に吸着させ、操作対象Ｘの軸方向に回転させることで、操作可能である。
【００６０】
図５（ａ）は、操作対象Ｘがスマートフォン等の端末機器における静電容量式タッチパネル、図５（ｂ）は、操作対象Ｘがエレベーターのボタンである場合を、それぞれ示している。
【００６１】
図５（ａ）では、操作対象Ｘに導電部１１ｂを接触、押圧させることで、操作可能である。
図５（ｂ）では、操作対象Ｘに緩衝部１１ｃを接触、押圧させることで、操作可能である。
【００６２】
なお、衛生用具１は、操作対象Ｘとして、図４や図５で挙げたものの他、例えば、端末の電源ボタンやテンキー式の鍵といった物理ボタン、蛇口の取手、公共交通機関のつり革、チケット販売機、自動販売機等、複数人が素手で操作することが想定されるあらゆる物品を、間接的に操作することが可能である。
【００６３】
特に、本実施形態によれば、切り欠き部１１ｆの内部に、操作対象Ｘとして回転式ドアロック（所謂サムターン）を配置し、衛生用具本体１１を回転させることで、サムターンに触れることなく、容易に鍵の開錠、施錠を行うことができる。
【００６４】
また、本実施形態によれば、着脱部１２が、連結部１３により衛生用具本体１１と連結されていることで、ベルトループＺ１に衛生用具１を取付けておくことができ、衛生用具１の紛失の恐れがなくなるため、衛生用具１の利便性が向上する。
【００６５】
また、衛生用具本体１１により操作対象Ｘを操作する際、着脱部１２をベルトループＺ１から取外すことなく、操作を行えるため、衛生用具１の利便性がさらに向上する。
【００６６】
また、連結部本体１３ａにより、衛生用具本体１１に加えた引張り力を除荷するのみで、衛生用具１が使用前の状態に戻るため、衛生用具１の取扱いが容易となり、利便性がさらに向上する。
【００６７】
また、導電部１１ｂにより、衛生用具本体１１を用いて静電容量式タッチパネルの操作を行うことができ、衛生用具１の利便性がさらに向上する。
【００６８】
また、吸盤部１１ｄにより、レバー式ドアハンドルのみならず、丸型ドアハンドルの操作も行うことができ、衛生用具１の利便性がさらに向上する。
【００６９】
また、吸盤部１１ｄの外形状により、吸盤部１１ｄが操作対象に過度に吸着することなく、吸盤部１１ｄの丸型ドアハンドルに対する脱着作業が容易となるため、衛生用具１の利便性がさらに向上する。。
【００７０】
また、緩衝部１１ｃにより、物理ボタン等の操作対象Ｘを一切傷つけることなく操作可能となり、本衛生用具の利便性がさらに向上する。
【００７１】
＜実施形態２＞
以下、図６を用いて、本実施形態２に係る衛生用具について説明する。
なお、同実施形態において、先の実施形態と基本的に同一の構成要素については、同一符号を付してその説明を簡略化する。
【００７２】
図１に示すように、衛生用具１´は、実施形態１の衛生用具１と同様に、操作対象Ｘに接触する衛生用具本体１１と、操作対象Ｘと異なる所定箇所Ｙ（図３参照）に着脱可能に構成された着脱部１２と、衛生用具本体１１と着脱部１２とを連結する連結部１３と、を備えている。
【００７３】
衛生用具本体１１は、略鉤状のフック部１１ａと、導電性を有し、操作対象Ｘを押圧可能に設けられた導電部１１ｂと、弾性を有し、操作対象Ｘを押圧可能に設けられた緩衝部１１ｃと、指掛け部１１ｅと、を有している。
【００７４】
フック部１１ａは、金属性の棒状体を湾曲させることにより、略し字状に概略構成され、その基端部には雄ねじ部ｍが形成されている。
また、雄ねじ部ｍの外周面には、後述する第二輪状体１３ｃを挟持する、ナットｎ及び雄ねじ部ｍの外周面に巻き回されたゴムシートｒが設けられている。
【００７５】
導電部１１ｂは、実施形態１と同様に、長尺のアルミテープにより構成され、フック部１１ａの先端側上面に沿って貼付けられている。
【００７６】
緩衝部１１ｃは、無底円筒状に概略構成され、フック部１１ａの外周面を囲って設けられることで、フック部１１ａの形状に沿って摺動自在となされている。
【００７７】
指掛け部１１ｅは、フック部１１ａの基端に設けられ、フック部１１ａの先端が延びる方向と略同一方向に突設して構成されている。
また、指掛け部１１ｅは、フック部１１ａの先端と略同一方向に湾曲している。
【００７８】
着脱部１２は、着脱機構１２ａを有している。
【００７９】
着脱機構１２ａは、実施形態１と同様に、一般的なキーホルダー等に採用される所謂ナスカンであり、内蔵された巻きばねによりゲート部ｇが開閉することで、着脱部１２を所定箇所Ｙに着脱自在に取り付けることができる。
【００８０】
連結部１３は、実施形態１と同様に、連結部本体１３ａと、第一輪状体１３ｂと、第二輪状体１３ｃと、を有している。
【００８１】
連結部本体１３ａは、一般的なキーホルダー等に採用される、プラスチック製の所謂コイルチェーンである。
これにより、連結部本体１３ａは、その全長を伸縮自在に構成され、かつ着脱部１２に向かって付勢されている。
【００８２】
第一輪状体１３ｂは、その外形状が略円形状であり、連結部本体１３ａの端部に挿通されている。
【００８３】
第二輪状体１３ｃは、その外形状が略８の字状であり、各輪部に第一輪状体１３ｂ及び雄ねじ部ｍが、それぞれ挿通されている。
また、雄ねじ部ｍが挿通された輪部は、ナットｎとゴムシートｒとの間に設けられ、ナットを締めることで、この輪部がナットｎとゴムシートｒに挟持される態様で、フック部１１ａに強固に固定される。
【００８４】
このように構成された衛生用具１´は、衛生用具１と同様に、ベルトループＺ１等の所定箇所Ｙに取付けることができ、フック部１１ａ及び指掛け部１１ｅによるドアハンドルの操作や、導電部１１ｂや緩衝部１１ｃによる、静電容量式タッチパネルや物理ボタン等の操作を行うことができる。
【００８５】
特に、衛生用具１´には、衛生用具１と異なり、吸盤部１１ｄが設けられていないが、フック部１１ａを、その湾曲に沿って、丸型ドアハンドルの外周面に当接させ、丸型ドアハンドルの軸方向周りに回転させることで、容易に操作が可能である。
【００８６】
また、本実施形態によれば、緩衝部１１ｃがフック部１１ａの形状に沿って摺動自在に設けられていることで、操作対象Ｘの種類や使用状況等に合わせて、緩衝部１１ｃの位置を可変させることができるため、衛生用具１´の利便性がさらに向上する。
【００８７】
また、フック部１１ａが金属性の棒状体を湾曲させることにより形成されていることで、フック部１１ａの強度が向上し、繰り返しの使用による破損の恐れがなくなるため、衛生用具１´の利便性がさらに向上する。
【００８８】
なお、上述の実施形態において示した各構成部材の諸形状や寸法等は一例であって、設計要求等に基づき種々変更可能である。
【符号の説明】
【００８９】
１、１´  衛生用具
１１      衛生用具本体
１１ａ    フック部
１１ｂ    導電部
１１ｃ    緩衝部
１１ｄ    吸盤部
１１ｅ    指掛け部
１１ｆ    切り欠き部
１２      着脱部
１２ａ    着脱機構
１２ｂ    筐体
１３      連結部
１３ａ    連結部本体
１３ｂ    第一輪状体
１３ｃ    第二輪状体
Ｘ        操作対象
Ｙ        所定箇所
Ｚ        ズボン
Ｚ１      ベルトループ
【図１】
0003228295.tif 000003
【図２】
0003228295.tif 000004
【図３】
0003228295.tif 000005
【図４】
0003228295.tif 000006
【図５】
0003228295.tif 000007
【図６】
0003228295.tif 000008
【手続補正書】
【提出日】令和2年7月3日(2020.7.3)
【手続補正１】
【補正対象書類名】実用新案登録請求の範囲
【補正対象項目名】請求項１
【補正方法】変更
【補正の内容】
【請求項１】
操作対象に接触する衛生用具本体と、着脱部と、前記衛生用具本体と前記着脱部とを連結する連結部と、を備え、
前記衛生用具本体は、略鉤状のフック部を有し、
前記着脱部は、着脱機構を有し、
前記着脱機構は、ナスカンとして構成されることで、前記操作対象と異なる所定箇所に着脱可能に構成されている、衛生用具。
【手続補正２】
【補正対象書類名】実用新案登録請求の範囲
【補正対象項目名】請求項２
【補正方法】変更
【補正の内容】
【請求項２】
前記連結部は、連結部本体を有し、
前記着脱部は、前記連結部本体を収容し、内部に中心軸が設けられた筐体を有し、
前記連結部本体には、前記中心周りへの巻き回し及び前記筐体の外部への巻き出し可能な細紐状のリール部を含むことで、その全長を伸縮自在に構成されている、請求項１に記載の衛生用具。
【手続補正３】
【補正対象書類名】実用新案登録請求の範囲
【補正対象項目名】請求項３
【補正方法】変更
【補正の内容】
【請求項３】
前記連結部本体は、前記筐体の内部に設けられ、前記リール部を、前記中心軸周りに巻き回すように付勢するゼンマイばねを含むことにより、前記着脱部に向かって付勢されている、請求項２に記載の衛生用具。
【手続補正４】
【補正対象書類名】実用新案登録請求の範囲
【補正対象項目名】請求項４
【補正方法】変更
【補正の内容】
【請求項４】
前記衛生用具本体は、導電性を有する導電部を有し、
前記導電部は、前記フック部の外周面に設けられることで、前記操作対象を押圧可能に設けられている、請求項１〜３の何れかに記載の衛生用具。
【手続補正５】
【補正対象書類名】実用新案登録請求の範囲
【補正対象項目名】請求項６
【補正方法】変更
【補正の内容】
【請求項６】
前記吸盤部は、その外形状が、正面視において、異なる曲率半径を有する２つの円を組合わせた形状となされている、請求項５に記載の衛生用具。
【手続補正６】
【補正対象書類名】実用新案登録請求の範囲
【補正対象項目名】請求項７
【補正方法】変更
【補正の内容】
【請求項７】
前記衛生用具本体は、弾性を有する緩衝部を有し、
前記緩衝部は、前記フック部の外周面を囲って設けられることで、前記操作対象を押圧可能に設けられている、請求項１〜６の何れかに記載の衛生用具。
【手続補正７】
【補正対象書類名】実用新案登録請求の範囲
【補正対象項目名】請求項８
【補正方法】変更
【補正の内容】
【請求項８】
前記緩衝部は、前記フック部の形状に沿って摺動自在に設けられている、請求項７に記載の衛生用具。